(57)【特許請求の範囲】
【請求項１】
光ディスクに対して初期ライトストラテジに基づいたレーザ光を記録手段によって照射することにより、上記光ディスクに所定の記録マークを形成する記録ステップと、
上記光ディスクに形成された上記記録マークを再生手段により読み出して当該記録マークに応じた再生信号を生成する再生ステップと、
上記再生信号に基づく上記記録マークの実際マーク長と所定の規格で定められた規格マーク長との差分に応じて、当該実際マーク長と当該規格マーク長とが一致するように上記初期ライトストラテジを補正手段により補正する補正ステップと、
上記光ディスクに対して、上記補正ステップにより補正された結果得られる補正ライトストラテジを当該光ディスクに対する設定ライトストラテジとして設定手段により設定する設定ステップと
を具え、
上記補正ステップでは、
上記記録マークのうち、最小の規格マーク長を有する記録マークの実際マーク長が、上記規格マーク長よりも所定付加長だけ長くなるように上記初期ライトストラテジを補正する
ライトストラテジ設定方法。
【請求項２】
上記ライトストラテジ設定方法では、
上記記録ステップ、上記再生ステップ及び上記補正ステップの流れを複数回に渡って繰り返す
請求項１に記載のライトストラテジ設定方法。
【請求項３】
光ディスクに対して初期ライトストラテジに基づいたレーザ光を照射することにより、上記光ディスクに所定の記録マークを形成する記録手段と、
上記光ディスクに形成された上記記録マークを読み出して当該記録マークに応じた再生信号を生成する再生手段と、
上記再生信号に基づく上記記録マークの実際マーク長と所定の規格で定められた規格マーク長との差分に応じて、当該実際マーク長と当該規格マーク長とが一致するように上記初期ライトストラテジを補正する補正手段と、
上記光ディスクに対して、上記補正手段により補正された結果得られる補正ライトストラテジを当該光ディスクに対する設定ライトストラテジとして設定する設定手段と
を具え、
上記補正手段では、
上記記録マークのうち、最小の規格マーク長を有する記録マークの実際マーク長が、上記規格マーク長よりも所定付加長だけ長くなるように上記初期ライトストラテジを補正する
ライトストラテジ設定装置。
【請求項４】
光ディスクを回転駆動する駆動手段と、
上記光ディスクに対して初期ライトストラテジに基づいたレーザ光を照射することにより、上記光ディスクに所定の記録マークを形成する記録手段と、
上記光ディスクに形成された上記記録マークを読み出して当該記録マークに応じた再生信号を生成する再生手段と、
上記再生信号に基づく上記記録マークの実際マーク長と所定の規格で定められた規格マーク長との差分に応じて、当該実際マーク長と当該規格マーク長とが一致するように上記初期ライトストラテジを補正する補正手段と、
上記光ディスクに対して、上記補正手段により補正された結果得られる補正ライトストラテジを当該光ディスクに対する設定ライトストラテジとして設定する設定手段と
を具え、
上記補正手段では、
上記記録マークのうち、最小の規格マーク長を有する記録マークの実際マーク長が、上記規格マーク長よりも所定付加長だけ長くなるように上記初期ライトストラテジを補正する
記録媒体駆動装置。
【請求項５】
光ディスクに対して初期ライトストラテジに基づいたレーザ光を照射することにより、上記光ディスクに所定の記録マークを形成する記録手段と、
上記光ディスクに形成された上記記録マークを読み出して当該記録マークに応じた再生信号を生成する再生手段と、
上記再生信号に基づく上記記録マークの実際マーク長と所定の規格で定められた規格マーク長との差分に応じて、当該実際マーク長と当該規格マーク長とが一致するように上記初期ライトストラテジを補正する補正手段と、
上記光ディスクに対して、上記補正手段により補正された結果得られる補正ライトストラテジを当該光ディスクに対する設定ライトストラテジとして設定する設定手段と
を具え、
上記補正手段では、
上記記録マークのうち、最小の規格マーク長を有する記録マークの実際マーク長が、上記規格マーク長よりも所定付加長だけ長くなるように上記初期ライトストラテジを補正する
ピックアップモジュール。
【発明の詳細な説明】
【技術分野】
【０００１】
本発明は、ライトストラテジ設定方法、ライトストラテジ設定装置、記録媒体駆動装置及びピックアップモジュールに関し、例えば記録再生型の光ディスクドライブに適用して好適なものである。
【背景技術】
【０００２】
従来、光ディスクドライブは、記録媒体である光ディスクの記録膜にレーザ光を照射し、当該記録膜上に規格で定められているマーク長を有する記録マークを形成して当該光ディスクにデータを記録する。図７に示すように、この光ディスクドライブは、レーザ光の制御タイミングを規定するライトストラテジを有しており、このライトストラテジに基づいてＥＦＭ（Eight to Fourteen Modulation）信号からタイミング制御信号を生成することにより、光ディスクの記録膜を所定の温度に上昇させるようレーザ光を精密に制御する。
【０００３】
このライトストラテジとしては、例えばレーザ光をパルス状に分割して照射するマルチパルス記録方式や、ブロック状に分割して照射するブロック記録方式、パワー及び時間軸の両方を制御することによりパルスの前後端でパワーを増加させてキャスル状に照射するキャスルスタイル方式等、種々の方式が知られており、光ディスクの種類や光ディスクドライブの記録速度等の各種記録条件によって適宜選択される。
【０００４】
一方で、製造するメーカー等によって光ディスクの記録特性にばらつきがあることから、一つのライトストラテジを用いて一律に記録マークを形成したのでは、記録膜上に形成される記録マークのマーク長にばらつきが生じてしまう。このため、光ディスクの特性に応じてこのライトストラテジを調整することによって、記録マークの精度を高めることが要求されている。
【０００５】
このため予め格納されたライトストラテジに従って記録マークをテスト記録すると共に、テスト記録された当該記録マークを再生した再生ＲＦ信号と、予め設定された設定再生ＲＦ信号とを比較し、両者の相違に基づいて当該ライトストラテジを最適化するようになされた光ディスクドライブが提案されている（例えば、特許文献１参照）。
【特許文献１】特開2003-271630公報
【発明の開示】
【発明が解決しようとする課題】
【０００６】
ところでかかる構成の光ディスクドライブにおいては、光ディスクに対応する規格に定められた３Ｔ〜１０Ｔ、１１Ｔ、１４Ｔの１０通りのマーク長（以下、これを規格マーク長と呼ぶ）を有する記録マークを形成する。以下、規格マーク長ｎのマークについては、ｎＴマーク（３Ｔマーク〜１４Ｔマーク）と表記し、特に規格マーク長を限定しない場合には単にマークと表記する。
【０００７】
このマークから読み出された再生ＲＦ信号は、図８（Ａ）のような波形を示す。このとき、最も小さい３Ｔマークに応じた再生ＲＦ信号の波形は、４Ｔマークに応じた再生ＲＦ信号の波形と比較して山部分が小さくなるため、図８（Ｂ）に示すように、ゼロレベルＺＬ付近の傾きが緩やかである。
【０００８】
すなわち、例えば外乱によるノイズや符号間干渉等によって再生ＲＦ信号の波形がゼロレベルＺＬに対して下方向にシフトし、破線で示すゼロレベルＺＬ´とのような位置関係に変化した場合、４Ｔマークに応じた再生ＲＦ信号のゼロクロス点ＺＣ４がゼロクロス点ＺＣ４´へシフトする場合の時間軸方向へのシフト量ＳＨ４と比較して、３Ｔマークに応じた再生ＲＦ信号のゼロクロス点ＺＣ３がゼロクロス点ＺＣ３´へシフトする場合の時間軸方向へのシフト量ＳＨ３が大きく、再生ＲＦ信号の品質を大きく低下させてしまうという問題があった。
【０００９】
本発明は以上の点を考慮してなされたもので、再生ＲＦ信号の品質を向上するライトストラテジ設定方法、ライトストラテジ設定装置、記録媒体駆動装置及びピックアップモジュールを提案しようとするものである。
【課題を解決するための手段】
【００１０】
かかる課題を解決するため本発明のライトストラテジ設定方法は、光ディスクに対して初期ライトストラテジに基づいたレーザ光を記録手段によって照射することにより、光ディスクに所定の記録マークを形成する記録ステップと、光ディスクに形成された記録マークを再生手段により読み出して当該記録マークに応じた再生信号を生成する再生ステップと、再生信号に基づく記録マークの実際マーク長と所定の規格で定められた規格マーク長との差分に応じて、当該実際マーク長と当該規格マーク長とが一致するように初期ライトストラテジを補正手段により補正する補正ステップと、光ディスクに対して、補正ステップにより補正された結果得られる補正ライトストラテジを当該光ディスクに対する設定ライトストラテジとして設定手段により設定する設定ステップとを具え、補正ステップでは、記録マークのうち、最小の規格マーク長を有する記録マークの実際マーク長が、規格マーク長よりも所定付加長だけ長くなるように初期ライトストラテジを補正するようにした。
【００１１】
これにより、実際マーク長と規格マーク長とが一致するように初期ライトストラテジを補正する際、最小の規格マーク長を有する記録マークの実際マーク長が、規格マーク長よりも所定付加長だけ長くなるように初期ライトストラテジを補正することができるので、再生信号におけるゼロレベル付近の傾きを補正前よりも急峻にしてノイズ耐性を向上することができる。
【００１２】
また、本発明のライトストラテジ設定装置、記録媒体駆動装置、ピックアップモジュールは、光ディスクに対して初期ライトストラテジに基づいたレーザ光を照射することにより、光ディスクに所定の記録マークを形成する記録手段と、光ディスクに形成された記録マークを読み出して当該記録マークに応じた再生信号を生成する再生手段と、再生信号に基づく記録マークの実際マーク長と所定の規格で定められた規格マーク長との差分に応じて、当該実際マーク長と当該規格マーク長とが一致するように初期ライトストラテジを補正する補正手段と、光ディスクに対して、補正手段により補正された結果得られる補正ライトストラテジを当該光ディスクに対する設定ライトストラテジとして設定する設定手段とを具え、補正手段では、記録マークのうち、最小の規格マーク長を有する記録マークの実際マーク長が、規格マーク長よりも所定付加長だけ長くなるように初期ライトストラテジを補正するようにした。
【００１３】
これにより、実際マーク長と規格マーク長とが一致するように初期ライトストラテジを補正する際、最小の規格マーク長を有する記録マークの実際マーク長が、規格マーク長よりも所定付加長だけ長くなるように初期ライトストラテジを補正することができるので、再生信号におけるゼロレベル付近の傾きを補正前よりも急峻にしてノイズ耐性を向上することができる。
【発明の効果】
【００１６】
本発明によれば、実際マーク長と規格マーク長とが一致するように初期ライトストラテジを補正する際、最小の規格マーク長を有する記録マークの実際マーク長が、規格マーク長よりも所定付加長だけ長くなるように初期ライトストラテジを補正することができるので、再生信号におけるゼロレベル付近の傾きを補正前よりも急峻にしてノイズ耐性を向上することができ、かくして再生信号の品質を向上するライトストラテジ設定方法、ライトストラテジ設定装置、記録媒体駆動装置及びピックアップモジュールを実現できる。
【発明を実施するための最良の形態】
【００１７】
以下、図面について、本発明の一実施の形態を詳述する。
【００１８】
（１）光ディスクドライブの全体構成
図１において１は、全体として光ディスクドライブを示している。この光ディスクドライブ１は、制御ＩＣ２のＣＰＵ（Central Processing Unit）３が光ディスクドライブ１の各部を制御するようになされている。ＣＰＵ３は、ＲＡＭ（Random Access Memory）等でなる記憶部４に予め格納された各種基本プログラムやライトストラテジ設定プログラム等に基づいて、書込処理等の各種処理や後述するライトストラテジの設定処理を実行する。また、記憶部４には書込処理の際に使用されるライトストラテジや、ライトストラテジの設定処理の際に使用されるキャリブレーション用データ、理論信号長ＭＴが格納されている。
【００１９】
ＣＰＵ３は、サーボ回路５を介してスピンドルモータ６を回転させ、ターンテーブル（図示せず）に載置された光ディスク２０を回転駆動する。またＣＰＵ３は、サーボ回路５を介してスレッドモータ７を回転させ、光ピックアップ８を光ディスク２０のトラッキング方向に移動させる。さらにＣＰＵ３は光ピックアップ８の２軸アクチュエータ８Ｅを制御し、当該光ピックアップ８の対物レンズ８Ｃをトラッキング方向及びフォーカス方向に駆動する。
【００２０】
光ピックアップ８では、レーザダイオード８Ｂから光ビームを発射し、対物レンズ８Ｃを介して当該光ビームを光ディスク２０に照射する。そして光ピックアップ８は、当該光ビームが光ディスク２０によって反射されてなる反射光ビームをフォトディテクタ８Ｄによって受光すると、当該受光された反射光ビームをその反射光量に応じた電気信号へ光電変換し、当該電気信号を信号処理部９に送出する。
【００２１】
読出処理において、ライトストラテジ生成部１０は、レーザパワーを制御する制御信号を生成することにより、レーザドライバ８Ａを介してレーザダイオード８Ｂを制御しながら、光ディスク２０に記録されたデータを読み出す。
【００２２】
さらに書込処理において、ライトストラテジ生成部１０は、記憶部４に格納されたレーザダイオード８Ｂの制御条件を規定しているライトストラテジ（初期ライトストラテジ、補正ライトストラテジ、設定ライトストラテジ）に基づいて光ピックアップ８のレーザダイオード８Ｂの照射タイミング及びレーザパワーを制御するタイミング制御信号を生成し、このタイミング制御信号に基づきレーザドライバ８Ａを介してレーザダイオード８Ｂを駆動制御することにより、光ディスク２０にデータを書き込むようになされている。
【００２３】
因みに、光ディスクドライブ１は、光ディスク２０に対応する規格に定められた１０通りの規格マーク長を有する記録マークを形成する。以下、規格マーク長ｎの記録マークについては、ｎＴマーク（３Ｔマーク〜１４Ｔマーク）と表記し、特に規格マーク長を限定しない場合には単にマークと表記する。
【００２４】
（２）ライトストラテジの設定処理
次に、上述した書込処理の際に使用されるライトストラテジの設定処理について説明する。
【００２５】
光ディスクドライブ１は、予め記憶部４に格納されている初期設定のライトストラテジ（以下、これを初期ライトストラテジと呼ぶ）に基づいて、ＤＶＤ−Ｒ（Digital Versatile Disc-Recordable）及びＤＶＤ＋Ｒ等の光ディスク２０の種類や、当該光ディスク２０が製造されたメーカー等の差異に基づく当該光ディスク２０の特徴に応じた補正ライトストラテジ（第１〜第３補正ライトストラテジ）を生成し、当該光ディスク２０に対して最適なライトストラテジを設定するようになされている。
【００２６】
光ディスクドライブ１のＣＰＵ３は、操作部（図示せず）への操作によりユーザからライトストラテジを設定する旨の要求がなされたことを認識すると、光ピックアップ８の対物レンズ８Ｃを光ディスク２０のＰＣＡ（Power Calibration Area）領域に移動させる。そしてＣＰＵ３は、記憶部４に予め格納されたキャリブレーション用データを読出し、このキャリブレーション用データに基づいてＥＦＭ（Eight to Fourteen Modulation）信号を生成する。
【００２７】
ここで、記憶部４には予め初期ライトストラテジが格納されている。この初期ライトストラテジには、レーザダイオード８Ｂを制御する３つのタイミング制御信号をＥＦＭ信号から生成するときの制御条件が規定されている。
【００２８】
図２に示すように、ＣＰＵ３は、記憶部４からこの初期ライトストラテジを読み出すと、ライトストラテジ生成部１０に初期ライトストラテジを設定する。ライトストラテジ生成部１０は、このＥＦＭ信号及び当該初期ライトストラテジに基づいて３つのタイミング制御信号（ライトタイミング信号ＷＴ、オーバードライブタイミング信号ＯＴ及びクーリングタイミング信号ＣＴ）をそれぞれ生成し、レーザドライバ８Ａに送出する。
【００２９】
このライトタイミング信号ＷＴは、光ビーム３０Ａのレーザパワーをマーク形成用のライトパワーＷＰに制御するタイミングを示し、オーバータイミング信号ＯＴは、最もレーザパワーの大きいオーバードライブパワーＯＰに制御するタイミングを表し、クーリングタイミング信号ＣＴは、最もレーザパワーの小さい冷却用のクーリングパワーＣＰに制御するタイミングを表している。なお、ライトタイミング信号ＷＴ及びオーバータイミング信号ＯＴが立ち下がり、クーリングタイミング信号ＣＴが立ち上がっている状態のときにはリードパワーＲＰに制御する。
【００３０】
レーザドライバ８Ａは、これらのタイミング制御信号に応じてライトパワーＷＰ、オーバードライブパワーＯＰ、クーリングパワーＣＰ及びリードパワーＲＰの４段階の電流値になるように、レーザダイオード８Ｂの駆動電流を生成する。
【００３１】
レーザドライバ８Ａは、この駆動電流に応じて当該レーザダイオード８Ｂを駆動することにより、図３に示すような発光波形でレーザダイオード８Ｂに光ビームを照射させ、キャリブレーション用のマークを光ディスク２０のＰＣＡ領域に記録する。
【００３２】
次いでＣＰＵ３は、上述したキャリブレーション用のマークの読出処理を実行する。このときライトストラテジ生成部１０は、レーザパワーがリードパワーＲＰの状態でレーザダイオード８Ｂから光ビームを発射する。この結果、信号処理部９は、フォトダイオード８Ｄから供給される光ディスク２０で反射された反射光ビームに応じた電気信号から、再生ＲＦ信号を生成する。
【００３３】
信号処理部９は、この再生ＲＦ信号から２値化再生信号を生成し、ライトストラテジ生成部１０は、この２値化再生信号におけるマーク（３Ｔ〜１４Ｔマーク）に対応する部分の長さを測定し、これをマークの実際長さを表す実際信号長ＭＲとする。
【００３４】
さらにＣＰＵ３は、光ディスク２０に規格マーク長通りに各マークが記録された場合の２値化再生信号の長さを表す理論信号長ＭＴを記憶部４から読出し、ライトストラテジ生成部１０へ送出する。
【００３５】
ライトストラテジ生成部１０は、かかる実際信号長ＭＲ及び理論信号長ＭＴが供給されると、当該実際信号長ＭＲと当該理論信号長ＭＴとの差分に基づいて、両者が一致するように初期ライトストラテジを補正することにより、第１補正ライトストラテジを生成する。
【００３６】
次いでＣＰＵ３は、この第１補正ライトストラテジに基づいて初期ライトストラテジのときと同様の処理によって光ディスク２０にキャリブレーション用のマークを再度記録し、このマークに応じた再生ＲＦ信号に基づいて第２補正ライトストラテジを生成すると、さらに第２補正ライトストラテジに基づいてもう一度同様の処理を繰り返すことにより、第３補正ライトストラテジを生成するようになされている。
【００３７】
これによりＣＰＵ３は、光ディスク２０が有する特性に応じたライトストラテジを用いて新たな補正ライトストラテジを生成するループを所定の繰返し回数（例えば３回）だけ繰り返すことにより、新たに生成した補正ライトストラテジの結果を次に生成する補正ライトストラテジにフィードバックすることができるため、最終的に生成される第３補正ライトストラテジに光ディスク２０の特性を反映させ、光ディスク２０に高い精度のマークを記録し得るようになされている。
【００３８】
そしてＣＰＵ３は、この第３補正ライトストラテジと各光ディスク２０に固有のＩＤ情報とを対応付けた状態で記憶部４に記憶することにより、この第３補正ライトストラテジを光ディスク２０に対応する設定ライトストラテジとして設定するようになされている。
【００３９】
ここで、図８（Ｂ）を用いて上述したように、最も短い３Ｔマークに応じた再生ＲＦ信号の波形は、ゼロレベルＺＬ付近の傾きが緩く、ノイズ耐性が小さいという問題を有している。
【００４０】
従って、例え正確に３Ｔマークを形成することができたとしても、この３Ｔマークに応じた再生ＲＦ信号の波形は、依然としてノイズ耐性が小さいという問題を保有し続けている。
【００４１】
このため、本発明の光ディスクドライブ１では、３Ｔマークにおける実際のマークの長さ（以下、これを実際マーク長と呼ぶ）が、３ＴよりＴ／１６だけ長くなるように３Ｔマークを記録することにより、３Ｔマークに応じた再生ＲＦ信号のノイズ耐性を向上させ得るようになされている。
【００４２】
すなわち図７に示したように、従来の光ディスクドライブは、実際マーク長が１Ｔを一単位として１Ｔ×ｎ（ｎ＝３〜１４）になるように３Ｔ〜１４Ｔマークを記録するのに対し、本発明の光ディスクドライブ１では、図４に示すように４Ｔ〜１４Ｔマークについては従来と同様、実際マーク長が１Ｔ×ｎ（ｎ＝４〜１４）になるように記録する一方、３Ｔマークについては実際マーク長が３Ｔ＋Ｔ／１６になるように記録する。
【００４３】
具体的には、ＣＰＵ３は、４Ｔマーク〜１４Ｔマークについての理論信号長ＭＴを実際マーク長４Ｔ、５Ｔ、・・・１４Ｔでマークが記録された場合に生成される２値化再生信号の長さにそれぞれ設定すると共に、上述した３Ｔマークについての理論信号長ＭＴを実際マーク長３Ｔ＋Ｔ／１６でマークが記録された場合に生成される２値化再生信号の長さに設定する。
【００４４】
これにより、図５（Ａ）に示すように、３Ｔマークにおける実際マーク長が３ＴよりもＴ／１６だけ長くなり、３Ｔマークに応じた再生ＲＦ信号における山部分をこのＴ／１６分だけ大きくすることができるため、図５（Ｂ）に示すように、再生ＲＦ信号におけるゼロレベルＺＬ付近の傾きを急峻にすることができ、再生ＲＦ信号が上下方向にシフトした場合のゼロクロス点ＺＣ３の時間軸方向へのシフト量を小さくすることができるため、再生ＲＦ信号におけるジッタを減少させることができ、３Ｔマークに応じた再生ＲＦ信号におけるノイズ耐性を向上させ得るようになされている。
【００４５】
（３）ライトストラテジの生成の処理手順
次に、ライトストラテジ生成プログラムに基づいて実行されるライトストラテジ生成の処理手順について、図６のフローチャートを用いて説明する。
【００４６】
光ディスクドライブ１のＣＰＵ３は、ユーザからライトストラテジを生成する旨の要求がなされると、ライトストラテジ設定処理手順ＲＴ１の開始ステップから入り、次のステップＳＰ１へ移る。
【００４７】
ステップＳＰ１において、ＣＰＵ３は、初期ライトストラテジに基づいて光ディスク２０にキャリブレーション用データを記録することにより、光ディスク２０にキャリブレーション用のマークを記録する。
【００４８】
ステップＳＰ２において、ＣＰＵ３は、ステップＳＰ１において記録したキャリブレーション用データを再生することにより、キャリブレーション用のマークに応じた２値化再生信号を生成する。
【００４９】
ステップＳＰ３において、ＣＰＵ３は、ステップＳＰ２において生成した２値化再生信号における、実際信号長ＭＲ（図３）及び理論信号長ＭＴとの相違に基づいて、両者が一致するように補正ライトストラテジを生成すると、次のステップＳＰ４へ移る。
【００５０】
このときＣＰＵ３は、理論信号長ＭＴの設定によって３Ｔマークについては実際マーク長が３Ｔ＋Ｔ／１６になるように、規格マーク長４Ｔ〜１４Ｔのマークについては実際マーク長が４Ｔ〜１４Ｔになるように補正ライトストラテジを生成する。
【００５１】
次のステップＳＰ４において、ＣＰＵ３は、所定の回数である３回に渡って補正ライトストラテジを生成したか否かについて判別する。
【００５２】
ここで否定結果が得られた場合には、このときＣＰＵ３は、次のステップＳＰ１へ戻り、ステップＳＰ３において生成した最新の補正ライトストラテジに基づいてキャリブレーション用マークを再度形成し、補正ライトストラテジの生成処理を継続する。
【００５３】
これに対してステップＳＰ４において肯定結果が得られた場合には、このことは光ディスク２０の特性を十分にフィードバックした第３補正ライトストラテジを生成し終えたことを意味しており、このときＣＰＵ３は、次のステップＳＰ５へ移り、当該第３補正ライトストラテジを光ディスク２０に対する設定ライトストラテジとして設定すると、処理を終了する。
【００５４】
（４）動作及び効果
以上の構成において、本発明の光ディスクドライブ１のＣＰＵ３は、所定のライトストラテジである初期ライトストラテジに基づいた制御タイミング信号によってレーザダイオード８Ｂを制御することにより、当該初期ライトストラテジに基づいたレーザ光を照射して所定の規格である光ディスク２０に対応する規格で定められた規格マーク長３Ｔ〜１４Ｔのキャリブレーション用のマークを形成する。そして、ＣＰＵ３は、記録マークであるマークを読み出して当該マークに応じた再生信号である２値化再生信号を生成し、当該２値化再生信号における当該マークの実際マーク長を表す実際信号長ＭＲと規格マーク長を表す理論信号長ＭＴとの相違である差分に基づいて両者が一致するように第１補正ライトストラテジを生成することより初期ライトストラテジを補正する際、マークのうち、規格マーク長の小さい３Ｔマークについての理論信号長ＭＴを、予め実際マーク長３Ｔ＋Ｔ／１６のマークに応じた２値化再生信号の長さに設定しておくことにより、３Ｔマークが所定付加長であるＴ／１６だけ長い実際マーク長３Ｔ＋Ｔ／１６になるように第１補正ライトストラテジを生成する。
【００５５】
これによりＣＰＵ３は、３Ｔマークを実際マーク長３Ｔ＋Ｔ／１６で光ディスク２０上に形成することができるため、再生ＲＦ信号においてＴ／１６だけ３Ｔマークを長くしたことに起因する時間軸方向のジッタの増加よりも、山部分が大きくなってゼロレベルＺＬ付近の傾きを大きくしたことに起因するジッタの低減効果を大きくすることができ、全体として再生ＲＦ信号におけるジッタの低減をすることができる。
【００５６】
またＣＰＵ３は、３Ｔマークの再生ＲＦ信号における山部分を大きくし得ることにより、低レーザパワー領域での再生信号におけるジッタを低減させることができるため、再生信号においてジッタが所定値以下となるターゲット範囲を低レーザパワー方向に広げることができ、当該ターゲット範囲の中心となる最適パワー値を低下させることができる。
【００５７】
また、ＣＰＵ３は、直前に生成した補正ストラテジを使用して記録ステップであるステップＳＰ１と、再生ステップであるステップＳＰ２と、生成ステップであるステップＳＰ３を所定の繰返し回数に渡って繰り返し、最終的に得られた第３補正ライトストラテジを光ディスク２０に対応付けて記憶部４に記憶することにより、設定ライトストラテジとして設定するようにした。
【００５８】
これによりＣＰＵ３は、ライトストラテジの補正結果をフィードバックすることができるため、３Ｔマークに応じた再生信号のジッタを低減することができ、一層ノイズ耐性を向上させることができる。
【００５９】
以上の構成によれば、本発明の光ディスクドライブ１のＣＰＵ３は、光ディスク２０に初期ライトストラテジに基づいたレーザ光を照射して光ディスク２０に対応する規格で定められた規格マーク長３Ｔ〜１４Ｔのキャリブレーション用のマークを形成し、当該マークの読出処理によって再生信号である２値化再生信号を生成し、当該２値化再生信号における当該マークの実際マーク長を表す実際信号長ＭＲと規格マーク長を表す理論信号長ＭＴとの相違である差分に基づいて第１補正ライトストラテジを生成する際、３ＴマークをＴ／１６だけ長い実際マーク長３Ｔ＋Ｔ／１６になるように第１補正ライトストラテジを生成することにより、再生ＲＦ信号の品質を向上することができる。
【００６０】
（５）他の実施の形態
なお上述の実施の形態においては、光ディスク２０を使用するようにした場合について述べたが、本発明はこれに限らず、この光ディスク２０としては、例えばＤＶＤ、ブルーレイディスク（Blu-ray Disc）、ＣＤ（Compact Disc）、ＨＤ（High Definition）ディスク等、種々の光ディスクを使用することができる。
【００６１】
また上述の実施の形態においては、３Ｔマークの実際マーク長を３Ｔより長くするようにした場合について述べたが、本発明はこれに限らず、状態に応じて所定の長さより小さい規格マークについての実際マーク長を長くすれば良く、例えば３Ｔマークと４Ｔマークについて実際マーク長を長くするようにしても良い。また、例えば２Ｔマークを使用するブルーレイディスクにおいて、２Ｔマークの実際マーク長を長くしたり、２つ以上のマーク（例えば２Ｔ及び３Ｔマーク）についての実際マーク長を長くするようにしてもよい。
【００６２】
また上述の実施の形態においては、３Ｔマークの実際マーク長を３ＴよりＴ／１６だけ長くするようにした場合について述べたが、本発明はこれに限らず、Ｔ／１６〜Ｔ／３２だけ長くすることにより実施形態と同様の効果を得ることができる。
【００６３】
さらに上述の実施の形態においては、所定の繰返し回数に渡って補正ライトストラテジの生成を実行するようにした場合について述べたが、本発明はこれに限らず、１回のみ実行するようにしても良い。この場合、ＣＰＵ３の処理数を減少させることができるため、ＣＰＵ３の処理負荷を軽減したり、処理時間を短縮することができる。
【００６４】
さらに上述の実施の形態においては、所定の繰返し回数に渡って補正ライトストラテジの生成を実行するようにした場合について述べたが、本発明はこれに限らず、各マークの実際信号長ＭＲが予め設定された理論信号長ＭＴの誤差閾値範囲内に入るまで上述した補正ライトストラテジの生成を繰り返すようにしても良い。これにより、ＣＰＵ３は、実際信号長ＭＲが設定された誤差閾値範囲内に確実に入る高精度な補正ライトストラテジを光ディスク２０に対する設定ライトストラテジとして設定し得る。
【００６５】
さらに上述の実施の形態においては、光ディスクドライブ１が上述したライトストラテジ設定処理を実行するようにした場合について述べたが、本発明はこれに限らず、記憶部４にライトストラテジ設定プログラムが記憶された制御ＩＣ２を有する外付けのライトストラテジ設定装置が当該ライトストラテジ設定処理を実行するようにしても良い。
【００６６】
この場合、例えばライトストラテジ設定装置は、製品出荷前の光ディスクドライブ１や光ピックアップ８に格納されるライトストラテジに対して設定処理を実行する。すなわちライトストラテジ設定装置は、光ディスクドライブ１や光ピックアップ８内に内蔵する記憶部に記憶されたライトストラテジに基づいてマークを形成し、光ディスクドライブ１や光ピックアップ８から取得した再生信号に基づいて補正ライトストラテジを生成し、当該補正ストラテジを初期設定値として光ディスクドライブ１や光ピックアップ８に内蔵する記憶部に記憶する。
【００６７】
さらに上述の実施の形態においては、記録手段としての光ピックアップ８と、再生手段としての信号処理部９と、補正手段としてのライトストラテジ生成部１０と、設定手段としての記憶部４とによって記録媒体駆動装置である光ディスクドライブ１を構成するようにした場合について述べたが、本発明はこれに限らず、その他種々の構成による記録手段と、再生手段と、補正手段と、設定手段とによって記録媒体駆動装置や光ピックアップモジュール、ライトストラテジ設定装置を構成するようにしても良い。
【産業上の利用可能性】
【００６８】
本発明のライトストラテジ設定方法、ライトストラテジ設定装置、記録媒体駆動装置、ピックアップモジュール及び記録媒体は、例えば光ディスク、ブルーレイディスク等の各種光ディスクに対するライトストラテジの設定に利用することができる。
【図面の簡単な説明】
【００６９】
【図１】光ディスクドライブの全体構成を示す略線図である。
【図２】タイミング制御信号の生成の説明に供する略線図である。
【図３】再生信号の生成の説明に供する略線図である。
【図４】本実施の形態におけるタイミング制御信号の生成の説明に供する略線図である。
【図５】＋Ｔ／１６の効果の説明に供する略線図である。
【図６】ライトストラテジ設定処理手順を示す略線図である。
【図７】従来のタイミング制御信号の生成の説明に供する略線図である。
【図８】再生ＲＦ信号の波形の説明に供する略線図である。
【符号の説明】
【００７０】
１……光ディスクドライブ、２……制御ＩＣ、３……ＣＰＵ、４……記憶部、８……光ピックアップ、９……信号処理部、１０……レーザドライバ、８Ａ……ライトストラテジ生成部。
【図１】
0004565340.tif 000002
【図２】
0004565340.tif 000003
【図３】
0004565340.tif 000004
【図４】
0004565340.tif 000005
【図５】
0004565340.tif 000006
【図６】
0004565340.tif 000007
【図７】
0004565340.tif 000008
【図８】
0004565340.tif 000009